(57)【要約】【課題】番組を探す手間を省き、番組を見忘れることのない放送受信機を提供する。【解決手段】デジタル放送受信機１０は、視聴時間を計測する視聴時間計測部２７と、視聴時間と視聴チャンネルと曜日と日付とを対応させて記憶するＲＡＭ１７と、各曜日及び各時間帯における最長視聴時間とそれに対応するチャンネル及び日付とを記憶するＲＯＭ１８と、所定の時間帯におけるチャンネル毎の総視聴時間を算出し、最も長いものが規定時間以上である場合、ＲＯＭ１８に記憶している同一曜日、同一時間帯の最長視聴時間のデータと比較し、総視聴時間が最長視聴時間よりも長い場合、総視聴時間とそれに対応するチャンネル及び日付とをＲＯＭ１８の同一曜日、同一時間帯のデータに上書きするＭＰＵ２８と、ＲＯＭ１８に記憶されたチャンネルの視聴を薦める旨の表示をするディスプレイ２５とを備えた構成とする。【選択図】図１
2007251301.tif 000002
【特許請求の範囲】
【請求項１】
テレビ放送を受信する放送受信機において、
視聴中のチャンネルの視聴時間を計測する視聴時間計測部と、
チャンネルの変更があった場合又は所定の時間帯が過ぎた場合に、前記視聴時間と視聴チャンネルと曜日と日付とを対応させて記憶するＲＡＭと、
各曜日及び各時間帯における最長視聴時間とそれに対応するチャンネル及び日付とを記憶するＲＯＭと、
所定の時間帯が過ぎた場合に、所定の時間帯におけるチャンネル毎の総視聴時間を算出し、最も長いものが規定時間以上である場合、前記ＲＯＭに記憶している同一曜日、同一時間帯の最長視聴時間のデータと比較し、前記総視聴時間が前記最長視聴時間よりも長い場合、又は前記総視聴時間が前記最長視聴時間よりも短く且つ前記最長視聴時間を記録した日が所定日以上前である場合、前記総視聴時間とそれに対応するチャンネル及び日付とを前記ＲＯＭの同一曜日、同一時間帯のデータに上書きするＭＰＵと、
ＥＰＧ（電子番組表）データを取得するＥＰＧ取得部と、
所定曜日の所定時刻になると、前記ＲＯＭから前記所定曜日の所定時刻の次の時間帯のデータに該当するチャンネルの視聴を薦める旨の表示であって、ＥＰＧデータが有する番組のタイトルを含んだ表示をし、表示中に規定時間経過すると該表示を消すディスプレイとを備えたことを特徴とする放送受信機。
【請求項２】
放送を受信する放送受信機において、
視聴中のチャンネルの視聴時間を計測する視聴時間計測部と、
チャンネルの変更があった場合又は所定の時間帯が過ぎた場合に、前記視聴時間と視聴チャンネルと曜日と日付とを対応させて記憶する一時記憶部と、
各曜日及び各時間帯における最長視聴時間とそれに対応するチャンネル及び日付とを記憶する記憶部と、
所定の時間帯が過ぎた場合に、所定の時間帯におけるチャンネル毎の総視聴時間を算出し、最も長いものが規定時間以上である場合、前記記憶部に記憶している同一曜日、同一時間帯の最長視聴時間のデータと比較し、前記総視聴時間が前記最長視聴時間よりも長い場合、前記総視聴時間とそれに対応するチャンネル及び日付とを前記記憶部の同一曜日、同一時間帯のデータに上書きする制御部と、
所定曜日の所定時刻になると、前記記憶部から前記所定曜日の所定時刻の次の時間帯のデータに該当するチャンネルの視聴を薦める旨の表示をする表示部とを備えたことを特徴とする放送受信機。
【請求項３】
前記制御部は、前記総視聴時間が前記最長視聴時間よりも短い場合であっても、前記最長視聴時間を記録した日が所定日以上前である場合は、前記総視聴時間とそれに対応するチャンネル及び日付とを前記記憶部の同一曜日、同一時間帯のデータに上書きすることを特徴とする請求項２記載の放送受信機。
【請求項４】
ＥＰＧデータを取得するＥＰＧ取得部を備え、
前記表示部は、前記チャンネルの視聴を薦める旨の表示において、ＥＰＧデータが有する番組のタイトルを含めることを特徴とする請求項２又は３記載の放送受信機。
【請求項５】
前記表示部は、前記チャンネルの視聴を薦める旨の表示中に、規定時間経過すると該表示を消すことを特徴とする請求項２〜４の何れかに記載の放送受信機。
【発明の詳細な説明】
【技術分野】
【０００１】
本発明は、番組選択を支援する放送受信機に関する。
【背景技術】
【０００２】
従来、ユーザがテレビ番組を視聴する方法にはいくつかの方法がある。例えば、ユーザが新聞や雑誌などのテレビ番組表や番組情報、或いは口コミによる番組情報などから番組に関する情報を取得して、それらの情報から視聴する番組を決定する方法である。この場合は、ユーザが番組の放送日時に合わせてテレビ放送受信機のチャンネルを設定することにより、番組を選択して視聴する。視聴予定番組をテレビ放送受信機に予約したり、ビデオ装置に予約して視聴する場合もこの方法が用いられる。
【０００３】
また例えば、所謂ザッピングのように、ユーザが視聴する番組を特に決めずに、チャンネルを短時間に次々と変えて放送中の番組を視聴しながら、気に入った番組を見つけ出す方法がある。
【０００４】
また例えば、ＥＰＧ（電子番組表）を利用してユーザが画面上に表示された番組名を選択することにより、特にチャンネルを指定せずに番組を選択する方法がある。ＥＰＧでは、個人の好みのチャンネルのみを表示したり、ジャンル毎に分類した表示が可能である。
【０００５】
近年、テレビ放送のデジタル化が進行し、チャンネル数が飛躍的に増加している。これにより視聴可能な番組数が増加すると、従来、新聞や雑誌で提供していた番組情報の量が膨大になり、紙に印刷された番組表や番組情報は相当な厚さになると予想される。このような状況では、新聞や雑誌により提供される番組情報の中からユーザが必要な情報を取捨選択することは困難である。
【０００６】
また、ザッピングにより番組を選択する場合は、ユーザは視聴したいと思った複数の番組の内容を記憶し、比較して選択するという作業を行っている。そのためチャンネル数が増加すると、連続して視聴した番組の内容を把握することは困難になる。
【０００７】
また、ＥＰＧを用いれば紙の厚さの問題は解決されるが、多数の番組の中から好みの番組を探さなければならない問題は解決されない。また、１画面に表示できる番組情報の数には限りがあるため、見たい番組を探すのが困難となる場合がある。地上波アナログ放送で受信できる１０チャンネル以下のチャンネル数であっても、番組表の見落としや放送された後で番組に対する情報を入手し、見忘れたり録画し忘れたりすることがある。
【０００８】
そこで、多数の番組の中からユーザが番組を選択することを支援する方法や番組の見忘れをなくす方法が種々提案されている。例えば特許文献１には、過去に視聴した番組のキーワードを嗜好データベースに記録し、それをもとにＥＰＧから得られる今後のテレビ番組表を参照してユーザが見たいと思うであろう番組があればチェックし、番組が始まるｎ分前になるとエージェントを表示する装置が開示されている。
【０００９】
また特許文献２には、ユーザが普段視聴している番組の番組情報と、ユーザが普段視聴はしていないが好むと思われる番組の番組情報を提供する放送受信機が開示されている。
【００１０】
また特許文献３には、厖大な視聴可能番組からユーザの好みにあったまたは必要な番組のみを抽出し、これらをユーザに提供可能とする番組選択支援装置が開示されている。
【特許文献１】特開２００５−２０２９４６号公報
【特許文献２】特開２００４−７２４８６号公報
【特許文献３】特開２０００−１３７０８号公報
【発明の開示】
【発明が解決しようとする課題】
【００１１】
しかしながら、特許文献１〜３では、過去に視聴した番組のキーワードを基にお薦めの番組を抽出するので、必ずしもユーザの好みにあったキーワードが抽出されるとは限らず、抽出されたキーワードが適切でなければユーザの好みにあった番組を抽出することはできない。
【００１２】
理想的には、ユーザが普段視聴している番組の傾向を正確に把握し、今後の放送予定番組の中からユーザの好みの番組を探し出して知らせることである。
【００１３】
本発明は、ユーザが好みの番組を探す手間を省くとともに、好みの番組を見忘れることを抑制する放送受信機を提供することを目的とする。
【課題を解決するための手段】
【００１４】
上記目的を達成するために本発明は、放送を受信する放送受信機において、
視聴中のチャンネルの視聴時間を計測する視聴時間計測部と、
チャンネルの変更があった場合又は所定の時間帯が過ぎた場合に、前記視聴時間と視聴チャンネルと曜日と日付とを対応させて記憶する一時記憶部と、
各曜日及び各時間帯における最長視聴時間とそれに対応するチャンネル及び日付とを記憶する記憶部と、
所定の時間帯が過ぎた場合に、所定の時間帯におけるチャンネル毎の総視聴時間を算出し、最も長いものが規定時間以上である場合、前記記憶部に記憶している同一曜日、同一時間帯の最長視聴時間のデータと比較し、前記総視聴時間が前記最長視聴時間よりも長い場合、前記総視聴時間とそれに対応するチャンネル及び日付とを前記記憶部の同一曜日、同一時間帯のデータに上書きする制御部と、
所定曜日の所定時刻になると、前記記憶部から前記所定曜日の所定時刻の次の時間帯のデータに該当するチャンネルの視聴を薦める旨の表示をする表示部とを備えたことを特徴とする。
【００１５】
この構成によると、所定の時間帯毎にお薦めの番組を表示することができる。
【００１６】
また、前記制御部は、前記総視聴時間が前記最長視聴時間よりも短い場合であっても、前記最長視聴時間を記録した日が所定日以上前である場合は、前記総視聴時間とそれに対応するチャンネル及び日付とを前記記憶部の同一曜日、同一時間帯のデータに上書きするようにしてもよい。
【００１７】
この構成によると、古いデータを削除するので、よりユーザが好む番組を薦めることができる。
【００１８】
また、ＥＰＧデータを取得するＥＰＧ取得部を備え、
前記表示部は、前記チャンネルの視聴を薦める旨の表示において、ＥＰＧデータが有する番組のタイトルを含めるようにしてもよい。
【００１９】
この構成によると、ＥＰＧを利用することにより、お薦めの番組をよりわかりやすく案内することができる。
【００２０】
また、前記表示部は、前記チャンネルの視聴を薦める旨の表示中に、規定時間経過すると該表示を消すことが望ましい。
【００２１】
この構成によると、お薦めの番組の情報をユーザが消す必要がないので使い勝手が向上する。
【００２２】
本発明を具体化すると、テレビ放送を受信する放送受信機において、
視聴中のチャンネルの視聴時間を計測する視聴時間計測部と、
チャンネルの変更があった場合又は所定の時間帯が過ぎた場合に、前記視聴時間と視聴チャンネルと曜日と日付とを対応させて記憶するＲＡＭと、
各曜日及び各時間帯における最長視聴時間とそれに対応するチャンネル及び日付とを記憶するＲＯＭと、
所定の時間帯が過ぎた場合に、所定の時間帯におけるチャンネル毎の総視聴時間を算出し、最も長いものが規定時間以上である場合、前記ＲＯＭに記憶している同一曜日、同一時間帯の最長視聴時間のデータと比較し、前記総視聴時間が前記最長視聴時間よりも長い場合、又は前記総視聴時間が前記最長視聴時間よりも短く且つ前記最長視聴時間を記録した日が所定日以上前である場合、前記総視聴時間とそれに対応するチャンネル及び日付とを前記ＲＯＭの同一曜日、同一時間帯のデータに上書きするＭＰＵと、
ＥＰＧデータを取得するＥＰＧ取得部と、
所定曜日の所定時刻になると、前記ＲＯＭから前記所定曜日の所定時刻の次の時間帯のデータに該当するチャンネルの視聴を薦める旨の表示であって、ＥＰＧデータが有する番組のタイトルを含んだ表示をし、表示中に規定時間経過すると該表示を消すディスプレイとを備えた構成となる。
【発明の効果】
【００２３】
本発明によれば、ユーザが普段視聴している番組の傾向を曜日及び時間帯別に記憶しておくことにより、今後の放送予定番組の中からユーザの好みの番組を探し出してＯＳＤ表示により知らせることができる。従って、ユーザが好みの番組を探す手間を省くとともに、好みの番組を見忘れることを抑制することができる。
【発明を実施するための最良の形態】
【００２４】
以下、放送受信機としてデジタル放送受信機を例に説明する。図１は、デジタル放送受信機１０の構成を示すブロック図である。１１はユーザが電源のオン／オフや選局やＥＰＧ画面の表示等の各種操作を行う操作部である。なお、操作部１１は遠隔操作可能なリモコンとしてもよい。１２はデジタル放送波を受信するアンテナ部であり、１３はアンテナ部１２で受信したデジタル放送波から所望のチャンネルの放送を選局するチューナ部、１４はチューナ部１３からの出力波をデジタル信号に変換するＡ／Ｄ変換部、１５はその出力をデータに復調する復調部である。
【００２５】
また、１６は復調部１５で復調されたデータを種別毎に分離して出力するＴＳデマルチプレクサであり、１７はその分離されたデータを記憶するＲＡＭ（一時記憶部）、１８はデジタル放送受信機１０の動作に必要な情報を記憶しているＲＯＭ（記憶部）である。ＲＡＭ１７は、視聴時間と視聴チャンネルと曜日と日付とを対応させて記憶もする。ＲＯＭ１８は、各曜日及び各時間帯における最長視聴時間とそれに対応するチャンネル及び日付とを記憶もする。
【００２６】
また、１９はＲＡＭ１７に記憶されたデータ中の音声データをアナログ化するＤ／Ａ変換部であり、２０はＤ／Ａ変換部１９によりアナログ化された音声データを出力する音声信号出力部、２１は音声を放音するスピーカである。
【００２７】
また、２２はＲＡＭ１７に記憶されたデータ中の映像データを圧縮前の映像データに復号化するＭＰＥＧ（Motion Picture Experts Group）２デコード部であり、２３はその復号化された映像データと後述するＥＰＧ取得部２６から送られてくるＥＰＧデータとをＮＴＳＣ復号テレビジョン信号に復号化するＮＴＳＣエンコード部、２４はそのＮＴＳＣ復号テレビジョン信号を出力する映像信号出力部、２５は映像を表示するディスプレイ（表示部）である。
【００２８】
また、２６はＲＡＭ１７に記憶されたデータ中のＥＰＧデータを解析し、ＮＴＳＣエンコード部２３へ出力するＥＰＧ取得部である。また、２７は視聴中のチャンネルの視聴時間を計測する視聴時間計測部である。そして、２８はデジタル放送受信機１０の動作を制御するＭＰＵ（制御部）である。
【００２９】
次に、デジタル放送受信機１０が放送を受信するときの動作について説明する。まず、送信されてきたデジタル放送波をアンテナ部１２で受信する。操作部１１が選局操作されると、チューナ部１３は受信するトランスポンダの切換を行う。受信したデジタル放送波はＡ／Ｄ変換部１４によりデジタル化され、復調部１５によりデータが復調される。
【００３０】
もともと、デジタル信号は送信側からＴＳ（Transport Stream）パケットの形で伝送されてくる。ＴＳパケットは映像データ、音声データ、ＥＰＧデータ等を含む制御データからなり、この制御データをＴＳデマルチプレクサ１６により、分離して出力し、ＲＡＭ１７に記憶する。そして、ＲＡＭ１７から読み出した音声データをＤ／Ａ変換部１９によりアナログ化し、音声信号出力部２０を介してスピーカ２１から音声を放音する。
【００３１】
また、ＲＡＭ１７から読み出した映像データをＭＰＥＧ２デコード部２２により圧縮前の映像データに復号化し、ＮＴＳＣエンコード部２３によりＮＴＳＣ復号テレビジョン信号に復号化し、映像信号出力部２４を介してディスプレイ２５に映像を表示する。更に、ＲＡＭ１７から読み出したＥＰＧデータをＥＰＧ取得部２６で解析し、ＮＴＳＣエンコード部２３によりＮＴＳＣ復号テレビジョン信号に復号化し、映像信号出力部２４を介してディスプレイ２５に映像を表示する。
【００３２】
次に、ユーザの好みの番組を探し出して知らせる機能について説明する。この機能は、ユーザが視聴している番組の視聴時間を取得する第１段階と、視聴時間からユーザの好みを算出する第２段階と、ユーザが好むであろう番組を薦める第３段階とに分けられる。
【００３３】
第１段階を図２を参照して説明する。図２は、視聴時間を取得する動作を説明するフローチャートである。ステップＳ１０において、ユーザによりデジタル放送受信機１０の電源がＯＮにされ、何れかの放送を受信開始すると、ステップＳ１１へ進んで、視聴時間計測部２７で視聴中のチャンネルの視聴時間を計測開始する。そしてステップＳ１２へ進んでチャンネルの切り換えがあったか否かを判別し、チャンネルの切り換えがなければステップＳ１３へ進んで、現在時刻が所定の時間帯を過ぎたか否かを判別する。時間帯とは、１日を時間で区切った区間を指し、例えば零時ちょうどから１時間毎に区切ると、０：００〜１：００、１：００〜２：００、・・・・２３：００〜２４：００となる。所定の時間帯を過ぎたとの判断は、現在時刻が上記の隣接する区間を跨いだことを検出して行う。
【００３４】
ステップＳ１３において所定の時間帯を過ぎていない場合は、ステップＳ１２に戻る。一方、ステップＳ１２においてチャンネルの切り換えがあった場合、又はステップＳ１３において所定の時間帯を過ぎた場合は、ステップＳ１４へ進んで視聴時間計測部２７で計測した視聴時間と視聴チャンネルと曜日と日付とを対応させてＲＡＭ１７に一時的に記憶する。ステップＳ１４の後はステップＳ１１に戻って次の視聴時間を計測する。
【００３５】
図３に、ＲＡＭ１７に記憶している視聴時間に関する情報の一例を示す。各時間帯（図では１９：００〜２０：００、２０：００〜２１：００）に各チャネル（図では２〜１３ＣＨ）の視聴時間（単位：分）が記憶されている。空欄は０分を意味し、１分未満の視聴時間は繰り上げている。なお、図３に対応する日付と曜日も記憶しているが図では省略している。図３からわかるように、１９：００〜２０：００の時間帯においては、まず２ＣＨを１０分間視聴した後、８ＣＨを１５分間視聴し、その後３ＣＨと１０ＣＨに１分未満ずつ切り換えた後、再び８ＣＨを２０分間視聴し、その後３ＣＨと４ＣＨと１０ＣＨに１分未満ずつ切り換え、再び８ＣＨを１５分間視聴した後、ザッピングにより２ＣＨ〜１３ＣＨまで切り換えている。ここで、１分未満の視聴時間は主にコマーシャル中にチャンネルを切り換えているものと推測される。図中の総視聴時間の算出は後述する。
【００３６】
次に、第２段階を図４を参照して説明する。図４は、ユーザの好みを算出する動作を説明するフローチャートである。ステップＳ２０において、現在時刻が所定の時間帯を過ぎたか否かを判別する。ステップＳ２０において所定の時間帯を過ぎた場合は、ステップＳ２１へ進んで、所定の時間帯におけるチャンネル毎の総視聴時間を算出する。算出した一例が図３の総視聴時間の欄に示されている。次にステップＳ２２へ進んで総視聴時間の最も長いもの（図３の１９：００〜２０：００の時間帯では８ＣＨの５０分）が規定時間以上であるか否かを判別する。規定時間は、ユーザが番組を十分に理解できる時間を採用すればよく、例えば時間帯が１時間単位であるばあいは、その半分の３０分とすればよい。
【００３７】
そしてステップＳ２２において総視聴時間の最も長いものが規定時間以上である場合、ステップＳ２３へ進んでＲＯＭ１８に記憶している同一曜日、同一時間帯の最長視聴時間のデータと比較する。図５に、ＲＯＭ１８に記憶しているデータの一例を示す。各時間帯及び各曜日に対応して１つのチャンネルとそのチャンネルの総視聴時間（不図示）と取得した日付（不図示）が記述されている。このチャンネルは総視聴時間から算出したお薦めのチャンネルである。×印はその時間帯及び曜日にお薦めするチャンネルがないことを意味する。一方、ステップＳ２２において総視聴時間の最も長いものが規定時間未満である場合は、処理を終了する。
【００３８】
ステップＳ２３からステップＳ２４へ進んで、比較した結果、ステップＳ２１で算出した総視聴時間が同一曜日、同一時間帯の最長視聴時間よりも長いか否かを判別する。ステップＳ２４において、総視聴時間が最長視聴時間よりも長い場合は、ステップＳ２５へ進んで総視聴時間とそれに対応するチャンネル及び日付とをＲＯＭ１８の同一曜日、同一時間帯のデータに上書きする。
【００３９】
一方、ステップＳ２４において総視聴時間が最長視聴時間よりも短い場合は、ステップＳ２６へ進んで、ステップＳ２３で比較した最長視聴時間を記録した日が所定日（例えば３週間）以上前であるか否かを判別する。そしてステップＳ２６において、最長視聴時間を記録した日が所定日以上前であった場合は、ステップＳ２５へ進む。一方、ステップＳ２６において最長視聴時間を記録した日が所定日以上前でなかった場合は、処理を終了する。これにより、総視聴時間がＲＯＭ１８に記憶されている最長視聴時間に達していない場合でもＲＯＭ１８に記憶されているデータが古い場合には新しいデータが上書きされることになる。
【００４０】
次に、第３段階を図６を参照して説明する。図６は、ユーザが好むであろう番組を薦める動作を説明するフローチャートである。ステップＳ３０において番組視聴中であると、ステップＳ３１において現在時刻が、ＲＯＭ１８に記憶されているお薦めのチャンネルが記述されている時間帯のｎ（ｎは自然数であり、例えば５）分前か否かを判別する。ステップＳ３１においてｎ分前である場合は、ステップＳ３２へ進んでＲＯＭ１８に記憶されているお薦めのチャンネルのＥＰＧデータから番組のタイトルを取得する。そして、ステップＳ３３へ進んでディスプレイ２５にお薦めのチャンネルとその番組のタイトルとをＯＳＤ表示し、ユーザにそのチャンネルの視聴を薦める。図７に、ＯＳＤ表示の一例を示す。図７では、図５の月曜日の７：００〜８：００の時間帯のお薦めのチャンネルである８ＣＨを例に示している。画面４０の上部にお薦めの番組情報４１がロール表示されている。
【００４１】
ステップＳ３３からステップＳ３４へ進んでＯＳＤ表示してから規定時間（例えば３０秒）が経過したか否かを判別する。ステップＳ３４において規定時間が経過していれば、ステップＳ３５へ進んでＯＳＤ表示を消去して、処理を終了する。なお、ＯＳＤ表示を消去するトリガーとしては、規定時間経過の他に、ＯＳＤ表示の点滅の回数、ＯＳＤ表示のロールの回数、チャンネルが切り換わるまで、などを採用することができる。
【００４２】
なお、ＥＰＧ機能を持たない機器の場合は、ステップＳ３２を省略して、ステップＳ３３のＯＳＤ表示にはお薦めのチャンネルのみを表示するようにすればよい。
【００４３】
このように、ユーザが普段視聴している番組の傾向を曜日及び時間帯別に記憶しておくことにより、今後の放送予定番組の中からユーザの好みの番組を探し出してＯＳＤ表示により知らせることができる。従って、ユーザが好みの番組を探す手間を省くとともに、好みの番組を見忘れることを抑制することができる。
【産業上の利用可能性】
【００４４】
本発明の放送受信装置は、上記実施形態で説明したデジタル放送受信機をはじめ、アナログ放送受信機にも適用することができる。そして、この放送受信機はテレビ放送受信機、ビデオ装置、ＤＶＤレコーダ、ＨＤＤレコーダ等に搭載することができる。
【図面の簡単な説明】
【００４５】
【図１】デジタル放送受信機の構成を示すブロック図である。
【図２】視聴時間を取得する動作を説明するフローチャートである。
【図３】ＲＡＭに記憶している視聴時間に関する情報の一例を示す図である。
【図４】ユーザの好みを算出する動作を説明するフローチャートである。
【図５】ＲＯＭに記憶しているデータの一例を示す図である。
【図６】ユーザが好むであろう番組を薦める動作を説明するフローチャートである。
【図７】ＯＳＤ表示の一例を示す図である。
【符号の説明】
【００４６】
１０    デジタル放送受信機（放送受信機）
１７    ＲＡＭ（一時記憶部）
１８    ＲＯＭ（記憶部）
２５    ディスプレイ（表示部）
２６    ＥＰＧ取得部
２７    視聴時間計測部
２８    ＭＰＵ
【図１】
2007251301.tif 000003
【図２】
2007251301.tif 000004
【図３】
2007251301.tif 000005
【図４】
2007251301.tif 000006
【図５】
2007251301.tif 000007
【図６】
2007251301.tif 000008
【図７】
2007251301.tif 000009